【事件の表示】
　特許第３３７８５１０号「畦塗り機」の請求項１ないし５に係る特許に対する特許異議の申立てについて、次のとおり決定する。
【結　論】
　訂正を認める。
　特許第３３７８５１０号の請求項１ないし３に係る特許を取り消す。
【理　由】
第１．手続の経緯
　 本件特許第３３７８５１０号の請求項１ないし５に係る発明は、平成１０年９月１７日の特許出願であって、平成１４年１２月６日に設定登録され、平成１５年８月１２日に異議申立てがなされ、その後、取消しの理由が通知され、その指定期間内である、平成１６年１０月２５日に訂正請求がなされて請求項が１ないし３と訂正されたものである。
　　
　　
第２．訂正の適否
　［１］．訂正の内容
　　（１）．訂正事項ａ
　　　【請求項１】を
　　　「走行車体に連結される機枠及びこの機枠の進行方向に対して左右方向に移動自在の可動機枠とを有する機体と、
この機体の前記可動機枠に回転自在に設けられ旧畦の畦際及び旧畦の田面側の側面部を切削してこの切削した土を旧畦の表面上に盛土する盛土ロータリーと、
この盛土ロータリーの後方に位置して前記機体の前記可動機枠に回転自在に設けられ前記盛土ロータリーにて旧畦の表面上に盛土された土をこの旧畦の表面に塗り付けて旧畦を修復する畦塗り体と、
前記盛土ロータリーの外側前方に位置して前記機体の前記可動機枠に回転自在に設けられ旧畦の上面部を畦塗り用に前処理する前処理ロータリーとを具備し、
前記盛土ロータリーは、旧畦と交差する略水平方向を軸方向として配置され駆動系により回転される回転軸と、この回転軸の周面部に軸方向に放射状に突設され旧畦の畦際及び旧畦の側面部の土を切削して旧畦の表面上に跳ね上げて盛土する複数の切削爪とを有し、
前記前処理ロータリーは、旧畦の上方に位置して
旧畦の上面部を横切る
前記可動機枠を前記機枠の一端側外方に向かって移動することにより前記盛土ロータリー、前記畦塗り体及び前記前処理ロータリーが前記走行車体の一方側の車輪より外側方に突出する畦塗り作業位置に移動され、前記可動機枠を前記機枠の一端側内方に向かって移動することにより前記盛土ロータリー、前記畦塗り体及び前記前処理ロータリーが前記走行車体の一方側の車輪より内側方に後退する非畦塗り作業位置に移動される
ものであり
前記機体は、前記盛土ロータリーを深浅調節する第１の調節手段と、前記前処理ロータリーの前処理位置を上下動調節する第２の調節手段とを有し、前記盛土ロータリーは，前記第１の調節手段にて旧畦の畦際及び旧畦の田面側の側面部を切削して旧畦の表面上に跳ね上げる所定の位置に深浅調節可能に支持され、前記前処理ロータリーは．前記第２の調節手段にて旧畦の上面部に対して上下方向に位置調節自在に支持されていることを特徴とする畦塗り機。
　　（２）．訂正事項ｂ．
　　　【請求項２】および【請求項３】の削除。
　　（３）．訂正事項ｃ．
　　　【請求項４】および【請求項５】を各々【請求項２】および【請求項３】に繰り上げる。
　　（４）．訂正事項ｄ．
　　　【０００８】を
　　　「【課題を解決するための手段】
　　　請求項１記載の畦塗り機は、走行車体に連結される機枠及びこの機枠の進行方向に対して左右方向に移動自在の可動機枠とを有する機体と、この機体の前記可動機枠に回転自在に設けられ旧畦の畦際及び旧畦の田面側の側面部を切削してこの切削した土を旧畦の表面上に盛土する盛土ロータリーと、この盛土ロータリーの後方に位置して前記機体の前記可動機枠に回転自在に設けられ前記盛土ロータリーにて旧畦の表面上に盛土された土をこの旧畦の表面に塗り付けて旧畦を修復する畦塗り体と、前記盛土ロータリーの外側前方に位置して前記機体の前記可動機枠に回転自在に設けられ旧畦の上面部を畦塗り用に前処理する前処理ロータリーとを具備し、前記盛土ロータリーは、旧畦と交差する略水平方向を軸方向として配置され駆動系により回転される回転軸と、この回転軸の周面部に軸方向に放射状に突設され旧畦の畦際及び旧畦の側面部の土を切削して旧畦の表面上に跳ね上げて盛土する複数の切削爪とを有し、前記前処理ロータリーは、旧畦の上方に位置して
旧畦の上面部を横切る
ものであり、前記機体は、前記盛土ロータリーを深浅調節する第１の調節手段と、前記前処理ロータリーの前処理位置を上下動調節する第２の調節手段とを有し、前記盛土ロータリーは、前記第１の調節手段にて旧畦の畦際及び旧畦の田面側の側面部を切削して旧畦の表面上に跳ね上げる所定の位置に深浅調節可能に支持され、前記前処理ロータリーは、前記第２の調節手段にて旧畦の上面部に対して上下方向に位置調節自在に支持されている
　　（５）．訂正事項ｅ．
　　　段落【００１２】を
　　　「また、走行車体にて機体が旧畦に沿って進行されるとき、前処理ロータリーの複数の前処理爪及び盛土ロータリーの複数の切削爪は、走行車体の進行に向かって回転されることにより、これら複数の前処理爪及び複数の切削爪による推進力にて走行車体の走行抵抗が軽減される。
また、第１の調節手段を調節操作することにより、この第１の調節手段にて盛土ロータリーが旧畦の畦際及び旧畦の側面部を切削して旧畦の削りとられた表面上に跳ね上げる所定の位置に深浅調節される。さらに、第２の調節手段を調節操作することにより、この第２の調節手段にて前処理ロータリーが旧畦の上面部に対してこの旧畦の上面部を切削して前処理する所定の位置に調節される。」
　　（６）．訂正事項ｆ．
　　　段落、【００１３】〜【００１７】を削除する。
　　（７）．訂正事項ｇ．
　　　明りょうでない記載の釈明を目的として【００１８】を、
「請求項
２
　　（８）．訂正事項ｈ．
　　　段落【００２０】を、
「請求項
３
　　（９）．訂正事項ｉ．
　　段落【０１３１】を
「また、前処理ロータリーの複数の前処理爪は旧畦の上方に位置して略水平方向を軸方向として配置された連動回転軸に突設し、盛土ロータリーの複数の切削爪は旧畦と交差する略水平方向を軸方向として配置された回転軸に突設したので、これら前処理ロータリーの複数の前処理爪及び盛土ロータリーの複数の切削爪は、走行車体の進行方向に向かって回転され、これら複数の前処理爪及び複数の切削爪による推進力にて走行車体の走行抵抗を軽減できる。
また、第１の調節手段を調節操作することにより、この第１の調節手段にて盛土ロータリーを旧畦の畦際及び旧畦の田面側の側面部を切削して旧畦の表面上に跳ね上げる所定の位置に簡単かつ確実に深浅調節できる。さらに、第２の調節手段を調節操作することにより、この第２の調節手段にて前処理ロータリーを旧畦の上面部に対してこの旧畦の上面部を切削して前処理する所定の位置に簡単かつ確実に調節される。
　　（１０）．訂正事項ｊ．
　　　段落【０１３２】および【０１３３】を削除する。
　　（１１）．訂正事項ｋ．
　　　段落【０１３４】を、
　　　「請求項
２
　　（１２）．訂正事項ｍ．
　　　段落【０１３５】を、
「請求項
３
（猶、下線部分は訂正個所を示す。）
　　
　［２］．訂正要件（目的、新規事項、変更）の検討
　　（１）．訂正事項ａは、訂正前の請求項１に記載された「機体」、「盛土ロータリー」および「前処理ロータリー」について限定するものであり、当該限定事項は、明細書の【請求項２】、【請求項３】、【００１４】、【００１６】、【００６２】、【００６９】、【０１０５】、【０１３２】および【０１３３】等に記載されているから、当該訂正は、減縮を目的とした訂正に該当する。
　　（２）．訂正事項ｂは、【請求項２】および【請求項３】を削除するものであるから、当該訂正は、減縮を目的とした訂正に該当する。
　　（３）．訂正事項ｄ、ｅ、ｉは、上記訂正事項ａと整合を図るものであるから明瞭でない記載の釈明を目的とした明細書の訂正に該当する。
　　（４）．訂正事項ｃ、ｆ、ｇ、ｈ、ｊ、ｋ、ｍは、上記訂正事項ｂと整合を図るものであるから明瞭でない記載の釈明を目的とした明細書の訂正に該当する。
　　（５）．訂正事項ａ〜ｍは、新規事項の追加には該当せず、実質的に特許請求の範囲を拡張又は変更するものではない。
　　
　［３］．まとめ
　　以上のように、上記訂正は、明瞭でない記載の釈明、及び減縮を目的とした訂正に該当し、しかも新規事項の追加には該当せず、実質的に特許請求の範囲を拡張又は変更するものではない。
　したがって、上記訂正は、平成１５年改正前の特許法第１２０条の４第２項及び同条第３項で準用する第１２６条第２項及び第３項の規定に適合するので当該訂正を認める。
　　
　　
第３．特許異議申立についての判断
［１］．本件の請求項１〜３に係る発明
　前記「第２．」で示したように前記訂正が認められるものであるから、本件の請求項１〜３に係る発明（以下「本件発明１〜３」という）は、前記訂正に係わる訂正明細書の特許請求の範囲の請求項１〜３に記載された以下のとおりのものである。
　＜１＞．請求項１
　　走行車体に連結される機枠及びこの機枠の進行方向に対して左右方向に移動自在の可動機枠とを有する機体と、
この機体の前記可動機枠に回転自在に設けられ旧畦の畦際及び旧畦の田面側の側面部を切削してこの切削した土を旧畦の表面上に盛土する盛土ロータリーと、
この盛土ロータリーの後方に位置して前記機体の前記可動機枠に回転自在に設けられ前記盛土ロータリーにて旧畦の表面上に盛土された土をこの旧畦の表面に塗り付けて旧畦を修復する畦塗り体と、
前記盛土ロータリーの外側前方に位置して前記機体の前記可動機枠に回転自在に設けられ旧畦の上面部を畦塗り用に前処理する前処理ロータリーとを具備し、
前記盛土ロータリーは、旧畦と交差する略水平方向を軸方向として配置され駆動系により回転される回転軸と、この回転軸の周面部に軸方向に放射状に突設され旧畦の畦際及び旧畦の側面部の土を切削して旧畦の表面上に跳ね上げて盛土する複数の切削爪とを有し、
前記前処理ロータリーは、旧畦の上方に位置して
旧畦の上面部を横切る
前記可動機枠を前記機枠の一端側外方に向かって移動することにより前記盛土ロータリー、前記畦塗り体及び前記前処理ロータリーが前記走行車体の一方側の車輪より外側方に突出する畦塗り作業位置に移動され、前記可動機枠を前記機枠の一端側内方に向かって移動することにより前記盛土ロータリー、前記畦塗り体及び前記前処理ロータリーが前記走行車体の一方側の車輪より内側方に後退する非畦塗り作業位置に移動されるものであり、
前記機体は、前記盛土ロータリーを深浅調節する第１の調節手段と、前記前処理ロータリーの前処理位置を上下動調節する第２の調節手段とを有し、前記盛土ロータリーは，前記第１の調節手段にて旧畦の畦際及び旧畦の田面側の側面部を切削して旧畦の表面上に跳ね上げる所定の位置に深浅調節可能に支持され、前記前処理ロータリーは．前記第２の調節手段にて旧畦の上面部に対して上下方向に位置調節自在に支持されていることを特徴とする畦塗り機。
　＜２＞．請求項２
　　「複数の前処理爪は、これら前処理爪の先端部に旧畦の上面部を水平に切削する水平上状の切削刃をそれぞれ有する、ことを特徴とする請求項１記載の畦塗り機。
　＜３＞．請求項３
　　畦塗り体は、旧畦の上面部に盛土された土をこの旧畦の上面部に塗り付けて旧畦の上面部を水平状に修復する円筒状の上面修復部と、この上面修復部の端部に固定され旧畦の側面部に盛土された土をこの旧畦の側面部に塗り付けて旧畦の側面部を下方に向かって拡開傾斜した傾斜面に修復する田面側に向かって拡開した円錐状の側面修復部とを有して構成されている、ことを特徴とする請求項１記載の畦塗り機。
　　
［２］．特許法第２９条第２項の検討
　＜１＞．当審で通知した取消理由に引用された刊行物記載事項
　　（１）．特開平１０−３３００６号公報（以下「刊行物１」という）記載事項
　　（１−１）．「走行機体に連結機構により機枠を連結し、該機枠に旧畦上に土を盛り上げる盛土機構を設け、該盛土機構の進行方向後方位置に整畦機構を設けてなり、上記旧畦の一方側面に盛土係留部を形成可能な形成体をもつ形成機構を具備してなることを特徴とする整畦機。」（第２頁左欄第２〜７行）
　　（１−２）．「走行機体１の後部に三点リンク式の連結機構２により機枠３を上下動可能に連結している。
４は盛土機構であって、この場合回転ロータからなる盛土体５から構成され、この盛土体５はロータ胴５ａの外周に複数個の掻上刃５ｂを突設すると共にロータ板５ａに取付軸５ｃを突設してなり、上記機枠３に盛土体５をその回転軸線を畦造成方向と平行にして回転自在に取付け、機枠３に走行機体１に設けられた動力取出軸６により回転する主軸７を軸受し、盛土体５を主軸７より変向用ギヤ列８及びチェーン機構９を介して回転させ、盛土体５により畦際の圃場面の土を削出軌跡Ｎをもって削土して、旧畦に向けて跳ね上げて盛り上げるように構成している。」（第２頁第２欄第１０〜２４行）
　　（１−３）．「１２は整畦機構であって、畦Ｗの一方側面Ｗ２及び畦の上面Ｗ1を整畦可能な回転整畦体１３を備えてなり、回転整畦体１３を押圧機構１４により畦面に押圧するように構成している。
この場合、上記回転整畦体１３は、畦Ｗの一方側面Ｗ2を整畦可能な外周面１５ａ及び畦の角部Ｗ3側の上面Ｗ1を整畦可能な外周面１５ｂを有して回転軸線Ｒを中心とする横回り回転ロール状の下部回転整畦体１５と、畦Ｗの上面Ｗ1を整畦可能な円筒状の外周面１６ａを有して回転軸線Ｒを中心とする横回り回転ロール状の上部回転整畦体１６とからなり、この下部回転整畦体１５を円錐状の内周面１５ｃを有する傘状に形成すると共に上部回転整畦体１６を円筒状の内周面１６ｂを有する円筒状に形成し、・・・これにより主軸７によって上部回転整畦体１６及び下部回転整畦体１５を回転軸線Ｒを中心として横回り回転させ、かつ下部回転整畦体１５の回転接触により畦Ｗの一方側面Ｗ2及び角部Ｗ3側の上面を締圧整畦すると共に上部回転整畦体１６により畦Ｗの畦Ｗの上面Ｗ1を締圧整畦するように構成している。」（第２頁第２欄第３０行〜第３頁第３欄第２５行）
　　（１−４）．「主軸７より自在継手５３を介して駆動軸４４を回転させるように設け、駆動軸４０と保持軸４８との間にチェーン機構５４を設けると共に保持軸４８と保持軸４９との間にチェーン機構５５を設け、・・・上側の保持軸４８に削土機構５６としての旧畦Ｗの上面を削土可能な複数個の直刀状及びなた状の削土体５６ａを取付け、これにより主軸７によって保持軸４８・４９を回転させ、」（第３頁第４欄第８〜２１行）
　　（１−５）．「・・・盛土体５の削出軌跡Ｎと畦の側面Ｗ2とが合致するようにしているが、削出軌跡Ｎが畦の側面Ｗ2内に食い込む状態・・・に設定することもでき、又、例えば盛土機構４として、畦造成方向に対して交差する方向の回転軸線をもつ回転ロータを採用することもでき、・・・」（４頁第６欄第１８〜２４行）
　　（１−６）．「【発明の効果】本発明は上述の如く、請求項１記載の発明にあっては、走行機体を畦に沿って走行すると一方では盛土機構が畦際の圃場泥土を旧畦上に盛り上げ、他方では整畦機構が駆動し、整畦機構により盛土は締圧整畦されることになり、」（第４頁第６欄末行〜第５頁第７欄第４行）
　　（１−７）．第２図には、削土機構（５６）を盛土機構（４）の外側前方に位置することが示されている。
（１−８）．第７図には、保持軸（４８）の軸方向を略水平として配置すること、削土体（５６ａ）を保持軸（４８）の周面部に軸方向に放射状に突設させること、削土体（５６ａ）により畦の上面（Ｗ１）を水平状に切削することが示されている。
　　（１−９）．してみると、刊行物１には以下の発明（以下「引用発明」という）が記載されている。
　　「走行機体の後部に３点リンク式連結機構を介して機枠３が連結され、当該機枠には、掻上刃（５ｂ）を備えて、畦際の圃場面の土を削土して、旧畦に向けて跳ね上げて盛り上げる盛土体（５）、盛土を締圧整畦する回転整畦体（１３）、及び削土体（５６ａ）を具備した削土機構（５６）が設けられた整畦機において、盛土体、回転整畦体、削土機構は駆動系により連動回転され、それらの回転軸の方向が、前者は、畦造成方向に対して平行又は直角、後２者は畦造成方向に対して平行に配置され、さらに、削土機構が旧畦の上方に位置してその回転軸の周面部に放射状に配設された削土体により旧畦の上面部を水平上に前処理するようにした整畦装置」
　
　　（２）．実願昭５７−６３８９１号（実開昭５８−１６４４０５号）のマイクロフィルム（以下「刊行物２」という）記載事項
　　（２−１）．「本考案は、トラクタ本体に昇降自在に連設の作業装置をトラクタ本体に対して左右に駆動スライドさせる機構を設けてある耕耘機、田植機等の農作業機に関する。」（第１頁第１８〜第２頁第１行）
　　（２−２）．「・・・作業装置を非作業位置に上昇位置させた状態での路上走行等を安全，容易に行えるようにするために、作業装置をトラクタ本体に対して予め設定された左右位置（一般に、トラクタ本体の左右中心に作業装置の左右中止を合致させる位置）に復帰させる・・・」（第２頁第１４〜１９行）
　　（２−３）．「この耕耘ロータリ装置（３）をリンク機構（２）の後部分（２Ａ）、つまり、トラクタ本体（１）に対して、左右スライド自在に構成し、前記耕耘ロータリ装置（３）を油圧シリンダ（５Ａ）を介してスライドさせる油圧機構（５）と、・・・前記油圧機構（５）を、耕耘ロータリ装置（３）の非作業位置への上昇に連動して耕耘ロータリ装置（３）をトラクタ本体（１）に対して予め設定された左右位置に自動復帰させるものに構成する。」（第４頁第１０行〜第５頁８行）
　　
　　（３）．実願昭５４−１１４００８号（実開昭５６−３３０３１号）のマイクロフィルム（以下「刊行物３」という）記載事項
　　（３−１）．「・・・駆動車１（・・・）の前方に連結部２，３を設け、これらの連結部２，３に取外し得るように対応する連結部４，５を連結して草刈装置６を取付け、・・・草刈装置６をエンジンフレーム７およびアーム８，９，１０，１１に取付けたシリンダー１２，１３，１４，１５により作動するようにし、・・・第１アーム１１に草刈ロータリーヘッド１６を回動するシリンダー１５を回動軸１８によって取付け折りたため得るようにする。・・・移動時は駆動車１の横に突出しないので駆動車１の通れる狭い場所に容易に進行でき、草刈作業時は・・・横に延ばし、ロータリーヘッド１６内のロータリーの回転により草刈作業を行う。」（第２頁第７行〜第４頁第２行）
　　
　　（４）．実願昭５９−５９０９７号（実開昭６０−１７１１０８号）のマイクロフィルム（以下「刊行物４」という）記載事項
　　（４−１）．「・・・トラクタが路上を走行したり、果樹園内の狭い場所を走行するときには作業機をトラクタ側に上げて機体幅員を狭くし、また、作業中は圃場面に降ろして、・・・・」（第２頁第７〜１０行）
　　（４−２）．「トラクタ１の車体一側には作業機取付体４が突出して設けられている。この作業機取付体４の後部に作業機支持外筒５の基部がピン６を介して上下回動可能に枢支され、この作業機支持外筒５内には作業機支持内筒７の基部側が摺動可能に嵌装され、作業機支持内筒７の先端には、ロータリカッタ８の伝動フレーム９が取付けられている。また、作業機取付体４には、前記作業機支持外筒５を枢支した位置と近接して油圧シリンダ１０の基部を枢支するための支持アーム１１が立設され、ピン１２を介して枢支している。」（第４頁第３〜１３行）
　　（４−３）．「ロータリカッタ８が作業を行わない、即ち、農用トラクタ１の路上走行時や移動時には、第４図に示すように作業機支持外筒５と作業機支持内筒７の挿通孔２７に固定ピン２６を挿通し（（イ）の状態）、この状態で油圧シリンダ１０のピストンロッドを収縮させると、作業機支持外筒５は（ロ）の仮想線に示すようにピン６を中心に上方（矢印）に回動してロータリカッタ８は持上げられ、農用トラクタ１の走行を容易にする。」（第８頁第２〜１０行）
　　
　　（５）特開平７−１３２００２号公報（以下「刊行物５」という）記載事項
　　（５−１）．「走行機体に連結機構により機枠を連結し、該機枠に畦際の泥土を旧畦の一方側面側に移送可能な土移送機構を設け、該土移送機構の進行方向後方位置に整畦体を設け、かつ該整畦体を畦締動作させる整畦機構を設け、土移送機構の進行方向前方位置に畦の上部を削出可能な削出機構を設けて構成したことを特徴とする整畦機。」（請求項１）
　　（５−２）．「この土移送機構４は、機枠３に下支持部材５を下向き突設すると共に上支持部材６を水平突設し、下支持部材５に駆動軸７を横設し、駆動軸７に取付部材８を揺動自在に軸受けし、上支持部材６にハンドル９により伸縮調節可能な連結ロッド１０を枢着し、連結ロッド１０の下端部を取付部材８の中程部にピン１１により連結し、取付部材８にそり状の安定部材８ａを上下調節自在に取付け、・・・」（第２頁第２欄第２１〜２８行）
　　
　　（６）．特開平１０−５６８０７号公報（以下「刊行物６」という）記載事項
　　（６−１）．「【請求項１】新畦を形成する畦成形部(23)の前方に、左右方向かつ外側下がりに傾斜した斜めロータリ軸(4)に多数突設した斜め耕耘爪(5)の回動半径を先細りにして、元畦法面(G2)と畦際の田面(G3)とを切削して土を元畦(G)方向にかき寄せる斜軸ロータリ(6)と、左右方向かつ畦の上面と平行の上面耕耘軸ケース(11)に同一回動半径を有する上面耕耘爪(13)を放射状に多数突設して、元畦上面(G1)を耕耘する上面耕耘ロータリ(14)とを設けたことを特徴とする畦塗機。
【請求項２】前記斜軸ロータリ(6)と上面耕耘ロータリ(14)との相対的上下位置を変更可能にしたことを特徴とする請求項１記載の畦塗機。」
　　（６−２）．「即ち、上面耕耘ロータリ14と斜軸ロータリ６との相対位置を変更できるので、畦の高さを変更するために斜軸ロータリ６の高さを変更した場合でも、元畦上面G1の耕深を最適に調節することができる。」（第３頁第３欄第３〜７行）
　　
　　（７）．特開昭６０−９８９０３号公報（以下「刊行物７」という）記載事項
　　（７−１）．「走行機体に連結され、盛土ロータ、畦叩き板等を配備し、畦際の泥土を盛土ロータで畦上に盛土しつつ畦叩き板で叩き締め固めて整畦するものであって、上記盛土ロータの走行方向前方位置に畦上面部を削り出する削出刃を配設し、かつ該削出刃を上下調節自在に構成したことを特徴とする整畦装置。」（特許請求の範囲）
　　（７−２）．「また本実施例では、・・・該従ギャ（２７）に前記削出刃（４）を有する削出ロータ（２８）を連結し、前記ロータ軸（２ｃ）の回転によって削出刃（４）を回転するように構成し、かつ盛土ロータ（２）の盛土カバ（２９）の前面上部に支点ブロック（３０）を回動自在に突設し、この支点ブロック（３０）に調節ロッド（３１）をスライド自在に貫挿し、調節ロッド（３１）の上部に数個の調節孔（３２）を形成し、かつ上部に調節カラ（３３）を貫挿し、この調節カラ（３３）と前記選択した調節孔（３２）とに調節ピン（３４）を差込み、・・・削出刃（４）を上下調節自在にすると共に、この削出刃（４）に前記圧縮バネ（３６）によって逃げ干渉作用を付与するようにしている。」（第２頁左下欄第４行〜同頁右下欄第１１行）
と記載されている。          
　　
　　（８）．特開平９−８４４０９号公報（以下「刊行物８」という）記載事項
　　（８−１）．「図１において、符号１は、図示しない畦塗り機の畦塗り部の前側に装着されて元畦５の田面７側部分を、掘削部分６のように掘削する前処理装置である。この前処理装置１は、水平回転軸２の外周に、多数の爪取付けボックス３，３…を介して多数の掘削爪４，４…を装着している。
　上記掘削爪４，４…は、元畦５及び田面７を縦方向に掘削する縦刃部４ａと、縦刃部４ａから一側にほぼ直角に屈曲して形成され、元畦５及び田面７を横方向に掘削する横刃部４ｂとからなり、元畦５側が浅く、田面７側が深くなるように横刃部４ｂで階段状に掘削するように、縦刃部４ａの長さ（回転半径）を異ならせている。そして、元畦５には、掘削爪４，４…によって掘削部分６が掘削され、元畦５の田面７側に、元畦５側が浅く、田面７側が深くなる、ほぼ水平の階段が形成される。」（第２頁第２欄第２０〜３５行）
　　
　＜２＞．本件発明（１〜３）特定事項と引用発明との対応関係
　　（１）．引用発明における、「盛土体（５）」、「回転整畦体（１３）」、「削土機構（５６）」、「掻上刃（５ｂ）」、「削土体（５６ａ）」、「整畦機」は、本件発明における「盛土ロータリー」、「畦塗り体」、「前処理ロータリー」、「切削爪」、「前処理爪」、「畦塗り機」にそれぞれ相当する。
　　（２）．引用発明における「連結機構及び当該機構に連結された機枠」は、「盛土ロータリー」、「畦塗り体」、「前処理ロータリー」等の整畦装置を保持すると共に走行車体に連結される、整畦連結・保持手段の点において、本件発明１における「機体」と共通する。
　　　
　＜３＞．本件発明１と引用発明との対比・判断
　　（１）．一致点
　　　「走行車体に連結される整畦連結・保持手段と、
　この整畦連結・保持手段に回転自在に設けられ旧畦の畦際及び旧畦の田面側の側面部を切削してこの切削した土を旧畦の表面上に盛土する盛土ロータリーと、この盛土ロータリーの後方に位置して前記整畦連結・保持手段に回転自在に設けられ前記盛土ロータリーにて旧畦の表面上に盛土された土をこの旧畦の表面に塗り付けて旧畦を修復する畦塗り体と、
　前記盛土ロータリーの外側前方に位置して前記整畦連結・保持手段に回転自在に設けられ旧畦の上面部を畦塗り用に前処理する前処理ロータリーとを具備し、前記盛土ロータリーは、旧畦と交差する略水平方向を軸方向として配置され駆動系により回転される回転軸と、この回転軸の周面部に軸方向に放射状に突設され旧畦の畦際及び旧畦の側面部の土を切削して旧畦の表面上に跳ね上げて盛土する複数の切削爪とを有し、
　前記前処理ロータリーは、旧畦の上方に位置して略水平方向を軸方向として配置され前記盛土ロータリーの前記駆動系により連動回転される連動回転軸と、この連動回転軸の周面部に軸方向に放射状に突設され旧畦の上面部を切削して水平状に前処理する複数の前処理爪とを有することを特徴とする畦塗り機。」
　　（２）．相違点
　　　(i)．整畦連結・保持手段の構造に関して、引用発明は、走行体に連結される連結機構、及び盛土ロータリー、畦塗り体及び前処理ロータリーを保持する機枠にて構成されているのに対し、本件発明１では、走行体に連結される機枠及びこの機枠の進行方向に対して左右方向移動自在の可動機枠とから構成され、当該可動機枠の左右方向移動により、「盛土ロータリー」、「畦塗り体」、「前処理ロータリー」等の整畦装置を畦塗り作業位置と、非畦塗り作業位置に移動する点。
　　　(ii)．「盛り土ロータリー」について、本件発明１は、「機体に盛土ロータリーを深浅調節する第１の調節手段と、を有し、前記盛土ロータリーは，前記第１の調節手段にて旧畦の畦際及び旧畦の田面側の側面部を切削して旧畦の表面上に跳ね上げる所定の位置に深浅調節可能に支持され」ているのに対し、引用発明は当該調節手段の有無については記載されていない点
　　　(iii)．「前処理ロータリー」について、本件発明は、「機体に前処理ロータリーの前処理位置を上下動調節する第２の調節手段を有し、前記前処理ロータリーは、前記第２の調節手段にて旧畦の上面部に対して上下方向に位置調節自在に支持されている」のに対し、引用発明は当該調節手段の有無については記載されていない点、
　　（３）．相違点の検討　
　　　(i)．相違点(i)の検討
　　　　走行車体に作業装置を連結する作業機において、作業時には走行車体の一方側の車輪より外側方に当該作業装置が突出する作業位置となる作業機の場合に、当該作業機の路上走行等を安全に行うために、走行車体の一方側の車輪より内側方に当該作業装置を後退移動させた非作業位置に保持すること、及び、当該作動装置の作業位置、非作業位置への左右移動手段を、走行車体に連結される機枠に配設することは、刊行物２乃至４等に記載されるように、周知技術である。
　そして、引用発明における盛土ロータリー、畦塗り体及び前処理ロータリーは、走行車体に連結されて畦塗り作業を行う作業装置で、作業時には車体側方に突出して作業するものであり、しかも路上走行するものであるから、引用発明においても、路上走行等を安全に行えるようにするために、盛土ロータリー、畦塗り体及び前処理ロータリーを、作業位置、非作業位置に左右移動自在とすること、その為に、走行車体に連結された機枠に当該移動手段を設けることは、前記周知事項に基づいて当業者が容易に想到できるものである。
　　　(ii)．相違点(ii)の検討
　　　　畦塗り機の盛土手段を深浅調節手段により深浅調節可能に支持する点については、引用刊行物５及び６等に記載されるように、周知技術である。
　したがって、引用発明において、盛土ロータリーを深浅調節手段により深浅調節可能に支持することは、当業者が容易になし得るものである。
　　　(iii)．相違点(iii)の検討
　　　　引用刊行物７に、前処理ロータリー（削出ロータ（２８））を上下方向に位置調節自在に、かつこの調節位置で上動可能に支持する支持手段が記載されているから、引用発明において、前処理ロータリーの支持手段として、引用刊行物７に記載された支持手段を採用することは、当業者が容易になし得るものである。
　　　(iv)．まとめ
　　　　よって、本件発明１は、引用発明、刊行物７に記載された発明、及び上記周知事項に基づき、当業者が容易に発明することができたものである。
　　
　＜４＞．本件発明２と引用発明との対比・判断
　　本件発明２は、本件発明１の「前処理爪」についてさらに、「前処理爪の先端部に旧畦の上面部を水平状に切削する水平状の切削刃を有する」と限定したものであるから、引用発明との相違点は、本件発明１について挙げた相違点、及び前記限定事項、すなわち、本件発明２における「前処理爪」は「水平状の切削刃」であるのに対し、引用発明を認定した刊行物１に示される前処理爪は、「直刀状及びなた状」である点。
　上記相違点について検討する。
　本件発明２について挙げた相違点については、「第３．［２］．＜３＞．（３）」に記載したとおりである。
　次に、当該限定事項について検討する。
　前処理爪の形状については、引用刊行物８に、旧畦の上面部及び側面部を水平状に切削する切削爪として、縦刃部と縦刃部から一側にほぼ直角に屈曲して形成される横刃部とからなる切削爪（掘削爪（４））が記載されている。
　そして、引用発明における前処理ロータリーは、畦の上面部を水平状に切削するものであるから、引用発明における前処理爪を、刊行物８に記載された「切削爪」に置換することは、引用発明の実施例に「直刀状及びなた状」のものが示されているから当業者が容易に想到し得るものである。
　よって、本件発明２は、引用発明、刊行物７，８及び周知技術に基づき、当業者が容易に発明し得るものである。
　
　＜５＞．本件発明３と引用発明との対比・判断
　　本件発明３は、本件発明１の「畦塗り体」についてさらに、「畦塗り体は、旧畦の上面部に盛土された土をこの旧畦の上面部に塗り付けて旧畦の上面部を水平状に修復する円筒状の上面修復部と、この上面修復部の端部に固定され旧畦の側面部に盛土された土をこの旧畦の側面部に塗り付けて旧畦の側面部を下方に向かって拡開傾斜した傾斜面に修復する田面側に向かって拡開した円錐形状の側面修復部とを有して構成されている」と限定したものであるから、引用発明との相違点は、本件発明１について挙げた相違点、及び前記限定事項である。
　上記相違点について検討する。
　本件発明１について挙げた相違点については、「第３．［２］．＜３＞．（３）」に記載したとおりである。
　　次に、前記限定事項について検討する。
　　引用発明を認定した刊行物１の「上部回転整畦体（１６）」及び「下部回転整畦体（１５）」は、本件発明３における「上面修復部」及び「側面修復部」にそれぞれ相当する。
　してみると、当該限定事項は実質的には相違点とはならないものである。
　　したがって、本件発明３は、本件発明１と同様に、引用発明、刊行物７に記載された発明、及び周知技術に基づき、当業者が容易に発明し得るものである。
　　　　
　　
第４．むすび
　各相違点を総合的に判断しても格別の作用効果は認められないから、本件発明１〜３についての特許は、引用発明、前記刊行物７、８に記載された発明、及び周知事項に基づいて当業者が容易に発明をすることができたものである。
　したがって、本件発明１〜３についての特許は、特許法第２９条第２項の規定に違反してされたものであるから、特許法第１１３条第２号に該当し、取り消されるべきものである。
　よって結論のとおり決定する。
【異議決定日】
平成１７年２月９日（２００５．２．９）
【訂正の要旨】
審決（決定）の【理由】欄参照。
（５４）【発明の名称】
畦塗り機
（５７）【特許請求の範囲】
　【請求項１】　走行車体に連結される機枠及びこの機枠の進行方向に対して左右方向に移動自在の可動機枠とを有する機体と、
　この機体の前記可動機枠に回転自在に設けられ旧畦の畦際及び旧畦の田面側の側面部を切削してこの切削した土を旧畦の表面上に盛土する盛土ロータリーと、
　この盛土ロータリーの後方に位置して前記機体の前記可動機枠に回転自在に設けられ前記盛土ロータリーにて旧畦の表面上に盛土された土をこの旧畦の表面に塗り付けて旧畦を修復する畦塗り体と、
　前記盛土ロータリーの外側前方に位置して前記機体の前記可動機枠に回転自在に設けられ旧畦の上面部を畦塗り用に前処理する前処理ロータリーとを具備し、
　前記盛土ロータリーは、旧畦と交差する略水平方向を軸方向として配置され駆動系により回転される回転軸と、この回転軸の周面部に軸方向に放射状に突設され旧畦の畦際及び旧畦の側面部の土を切削して旧畦の表面上に跳ね上げて盛土する複数の切削爪とを有し、
　前記前処理ロータリーは、旧畦の上方に位置して
旧畦の上面部を横切る
　前記可動機枠を前記機枠の一端側外方に向かって移動することにより前記盛土ロータリー、前記畦塗り体及び前記前処理ロータリーが前記走行車体の一方側の車輪より外側方に突出する畦塗り作業位置に移動され、前記可動機枠を前記機枠の一端側内方に向かって移動することにより前記盛土ロータリー、前記畦塗り体及び前記前処理ロータリーが前記走行車体の一方側の車輪より内側方に後退する非畦塗り作業位置に移動される
ものであり、
　
前記機体は、前記盛土ロータリーを深浅調節する第１の調節手段と、前記前処理ロータリーの前処理位置を上下動調節する第２の調節手段とを有し、
　
前記盛土ロータリーは、前記第１の調節手段にて旧畦の畦際及び旧畦の田面側の側面部を切削して旧畦の表面上に跳ね上げる所定の位置に深浅調節可能に支持され、
　
前記前処理ロータリーは、前記第２の調節手段にて旧畦の上面部に対して上下方向に位置調節節自在に支持されている
　ことを特徴とする畦塗り機。
　【請求項２】　複数の前処理爪は、これら前処理爪の先端部に旧畦の上面部を水平状に切削する水平状の切削刃をそれぞれ有する、
　ことを特徴とする請求項１記載の畦塗り機。
　【請求項３】　畦塗り体は、旧畦の上面部に盛土された土をこの旧畦の上面部に塗り付けて旧畦の上面部を水平状に修復する円筒状の上面修復部と、この上面修復部の端部に固定され旧畦の側面部に盛土された土をこの旧畦の側面部に塗り付けて旧畦の側面部を下方に向かって拡開傾斜した傾斜面に修復する田面側に向かって拡開した円錐形状の側面修復部とを有して構成されている、
　ことを特徴とする請求項１記載の畦塗り機。
【発明の詳細な説明】
　【０００１】
　【発明の属する技術分野】
　本発明は畦塗り機に係り、水田を区画する旧畦を畦塗り修復して新畦に整畦するものに関する。
　【０００２】
　【従来の技術】
　従来、旧畦の畦塗り作業は、旧畦の水漏れを防ぐとともに、旧畦の側面部等の崩れた部分及び旧畦の上面部が踏圧されて凹んだ凹部を平らに補修するために行われているが、この旧畦の畦塗り作業時には、旧畦の締め固められた固い土部分をできるだけ残した状態で旧畦に泥土を塗り付けて旧畦を修復することが望ましく、また、旧畦の表面部の雑草等は、その雑草等を根元から除去するとともに、これら雑草等の根は旧畦の表層部に補強用に残した状態で旧畦に泥土を塗り付けることが望ましい。
　【０００３】
　そこで、これら旧畦の畦塗り作業には労力を要することから人手によることなく機械的手段によって行なうものとして特開平６０−９８９０３号公報に記載された構成が知られている。
　【０００４】
　すなわち、前記特開平６０−９８９０３号公報には、走行車体に連結される機体に畦際の泥土を切削して旧畦上に盛土する盛土ロータリーを回転自在に設け、この盛土ロータリーの後方に位置して前記機体に前記盛土ロータリーにて盛土された泥土を旧畦上に叩き締め固めて旧畦を整畦する畦叩き板を上下動自在に設け、前記盛土ロータリーの前方に位置して前記機体に旧畦の上面部を切削する前処理ロータリーを回転自在に設け、前記盛土ロータリーは、前記機体の進行方向すなわち、旧畦の側方に位置して旧畦の延在方向を軸方向として並設された複数の回転軸の周面部に畦際を切削する複数の切削爪をそれぞれ設け、前記前処理ロータリーは、前記機体の進行方向すなわち、旧畦の上方に位置して旧畦の延在方向を軸方向とする回転軸の周面部に旧畦の上面部を切削する複数の前処理爪をそれぞれ設ける構成が記載されている。
　【０００５】
　【発明が解決しようとする課題】
　しかしながら、前記公報に記載された畦塗り機の構成では、前処理ロータリーの複数の前処理爪は旧畦の延在方向を軸方向とする回転軸を中心として回転されるため、特開平６０−９８９０３号公報の第２図に示されているように、複数の前処理爪にて旧畦の上面部の固い土部分が凹弧状に刳り取られて切削され、旧畦の上面部の固い土部分が削り取られ過ぎることがあり、また、雑草等の根も除去され易く、さらに、凹弧状に刳り取られた切削凹部内に盛土する土量も多くを必要とする問題がある。
　【０００６】
　また、前処理ロータリーの複数の前処理爪は旧畦の延在方向を軸方向とする回転軸の周面部に設けられ、盛土ロータリーの複数の切削爪は旧畦の延在方向を軸方向として並設された複数の回転軸の周面部に設けられているため、これら複数の前処理爪及び複数の切削爪は走行車体の走行方向に対して交差する方向に向かっての回転となり、走行車体の走行時に前処理ロータリーの複数の前処理爪が旧畦の上面部の土圧を受けるとともに、盛土ロータリーの複数の切削爪が畦際等の土圧を受け、これら各前処理爪及び各切削爪が走行車体の走行抵抗となる問題がある。
　【０００７】
　本発明は、このような課題に鑑みてなされたもので、旧畦の上面部を削り取り過ぎることなく水平状に切削して前処理でき、かつ、旧畦の表層部に雑草等の根を残した状態で前処理でき、走行車体の走行抵抗を軽減できる畦塗り機を提供することを目的とするものである。
　【０００８】
　【課題を解決するための手段】
　請求項１記載の畦塗り機は、走行車体に連結される機枠及びこの機枠の進行方向に対して左右方向に移動自在の可動機枠とを有する機体と、この機体の前記可動機枠に回転自在に設けられ旧畦の畦際及び旧畦の田面側の側面部を切削してこの切削した土を旧畦の表面上に盛土する盛土ロータリーと、この盛土ロータリーの後方に位置して前記機体の前記可動機枠に回転自在に設けられ前記盛土ロータリーにて旧畦の表面上に盛土された土をこの旧畦の表面に塗り付けて旧畦を修復する畦塗り体と、前記盛土ロータリーの外側前方に位置して前記機体の前記可動機枠に回転自在に設けられ旧畦の上面部を畦塗り用に前処理する前処理ロータリーとを具備し、前記盛土ロータリーは、旧畦と交差する略水平方向を軸方向として配置され駆動系により回転される回転軸と、この回転軸の周面部に軸方向に放射状に突設され旧畦の畦際及び旧畦の側面部の土を切削して旧畦の表面上に跳ね上げて盛土する複数の切削爪とを有し、前記前処理ロータリーは、旧畦の上方に位置して
旧畦の上面部を横切る
ものであり、前記機体は、前記盛土ロータリーを深浅調節する第１の調節手段と、前記前処理ロータリーの前処理位置を上下動調節する第２の調節手段とを有し、前記盛土ロータリーは、前記第１の調節手段にて旧畦の畦際及び旧畦の田面側の側面部を切削して旧畦の表面上に跳ね上げる所定の位置に深浅調節可能に支持され、前記前処理ロータリーは、前記第２の調節手段にて旧畦の上面部に対して上下方向に位置調節自在に支持されている
　【０００９】
　そして、走行車体にて機体が旧畦に沿って進行されるとともに、前処理ロータリー、盛土ロータリー及び畦塗り体がそれぞれ回転されることにより、前処理ロータリーの複数の前処理爪にて旧畦の上面部が切削されて畦塗り用に順次水平状に前処理される。このとき、旧畦の上面部の固い土部分が凹弧状に刳り取られることがないため、旧畦の上面部の固い土部分が削り取られ過ぎることがなく、また、旧畦の表層部に雑草等の根を残した状態で前処理される。
　【００１０】
　また、盛土ロータリーの複数の切削爪にて旧畦の畦際及び旧畦の側面部が畦塗り用の土として切削されるとともに、これらの土が跳ね上げられて旧畦の削りとられた表面上に順次盛土される。このとき、盛土される旧畦の上面部が予め水平状に前処理されているため、旧畦の水平状の上面部にはこの旧畦の上面部を修復する必要量の土量が盛土される。
　【００１１】
　さらに、畦塗り体にて旧畦上に盛土された土がこの旧畦の上面部及び側面部の表面に塗り付けられて旧畦が修復されて順次新畦に整畦される。
　【００１２】
　また、走行車体にて機体が旧畦に沿って進行されるとき、前処理ロータリーの複数の前処理爪及び盛土ロータリーの複数の切削爪は、走行車体の進行に向かって回転されることにより、これら複数の前処理爪及び複数の切削爪による推進力にて走行車体の走行抵抗が軽減される。
また、第１の調節手段を調節操作することにより、この第１の調節手段にて盛土ロータリーが旧畦の畦際及び旧畦の側面部を切削して旧畦の削りとられた表面上に跳ね上げる所定の位置に深浅調節される。さらに、第２の調節手段を調節操作することにより、この第２の調節手段にて前処理ロータリーが旧畦の上面部に対してこの旧畦の上面部を切削して前処理する所定の位置に調節される。
　【００１３】（削除）
　【００１４】（削除）
　【００１５】（削除）
　【００１６】（削除）
　【００１７】（削除）
　【００１８】
　請求項
２
　【００１９】
　そして、複数の前処理爪の先端部の水平状の切削刃にて旧畦の上面部が切削されて旧畦の上面が全体として水平状に前処理される。
　【００２０】
　請求項
３
　【００２１】
　そして、畦塗り体の上面修復部にて旧畦の上面部が水平状に修復されるとともに、この畦塗り体の側面修復部にて旧畦の側面部が下方に向かって拡開傾斜した傾斜面に修復されて順次新畦に整畦される。
　【００２２】
　【発明の実施の形態】
　以下、本発明の一実施の形態を図面を参照して説明する。
　【００２３】
　図１、図２及び図３において、１は機体で、この機体１は走行車体としてのトラクタＴに連結される機枠２と、この機枠２の進行方向に対して左右方向に移動自在に設けられた可動機枠３とを有し、前記可動機枠３には、畦塗り用の土を切削して旧畦Ａ上に盛土する回転自在の盛土ロータリー４と、この盛土ロータリー４の後方に位置して旧畦Ａ上に盛土された土をこの旧畦Ａの表面に塗り付けて旧畦Ａを修復する回転自在の畦塗り体５と、前記盛土ロータリー４の外側前方に位置して旧畦Ａの上面部を畦塗り用に前処理する回転自在の前処理ロータリー６とがそれぞれ設けられている。
　【００２４】
　前記機枠２は、中空角柱状部材にて左右方向に延在して形成された主フレーム７を有し、この主フレーム７の両端近傍部にロワアーム８がそれぞれ前下方に向かって傾斜して一体に突設され、この両側のロワアーム８の先端部に連結ピン９がそれぞれ外側方に向かって水平状に突設されている。
　【００２５】
　また、前記主フレーム７の中間下部に軸受体１０が固定され、この軸受体１０内に前記主フレーム７と交差する方向の前後方向の入力軸１１が抜止めされた状態で回転自在に軸支されている。この入力軸１１は、先端側のスプライン軸部が前記軸受体１０の先端部から前方に向かって突出されているとともに、後端側のスプライン軸部が前記軸受体１０の後端部から後方に向かって突出されている。
　【００２６】
　そして、前記入力軸１１の先端側のスプライン軸部にはトラクタＴの動力取出軸に連結した第１の動力伝達軸の一端部がスプライン嵌合により連結され、前記入力軸１１の後端側のスプライン軸部には後述する出力軸に第２の動力伝達軸の一端部がスプライン嵌合により連結されるようになっている。
　【００２７】
　また、前記主フレーム７の中間上部にトップアーム１２が前上方に向かって傾斜して一体に突設され、このトップアーム１２の先端部に連結ピン１３が着脱可能に取り付けられている。そして、前記両側部のロワアーム８の連結ピン９及び前記トップアーム１２の連結ピン１３にトラクタＴの三点懸架機構の三点連結部がそれぞれ回動自在に連結されるようになっている。
　【００２８】
　さらに、図１、図２及び図３に示すように、前記主フレーム７の両端部には上下に離間した一対の連結板１４がそれぞれ後方に向かって平行に一体に突設され、この両端部の一対の連結板１４の後端部間に連結軸１５がそれぞれ着脱自在に垂直状に取り付けられている。
　【００２９】
　そして、前記両側のロワアーム８及びトップアーム１２を有する主フレーム７と、入力軸１１を有する軸受体１０と、連結軸１５を有する左右一対の連結板１４とにより前記機枠２が構成されている。
　【００３０】
　つぎに、前記可動機枠３は、図１、図２及び図３に示すように、中空円筒状部材にて左右方向に延在して形成された第１の伝動ケース１６と、この第１の伝動ケース１６の一端部に上下方向に回動自在に設けられ前下方に向かって突出された第２の伝動ケース１７と、この第２の伝動ケース１７の前端部に固定され前上方に向かって傾斜して突出された第３の伝動ケース１８と、前記第１の伝動ケース１６の後方に位置してこの第１の伝動ケース１６に支持された中空円筒状部材にて左右方向に延在して形成された第４の伝動ケース１９とを有している。
　【００３１】
　そして、前記第１の伝動ケース１６は、この第１の伝動ケース１６の中間部より左側に偏位した位置に固定されたギヤケース２０を備えている。このギヤケース２０には、前記第１の伝動ケース１６と交差する方向の前後方向に延在した出力軸２１が回転自在に軸支され、この出力軸２１は先端側に前記ギヤケース２０の前端部から前方に向かって突出したスプライン軸部を有するとともに、後端部に前記ギヤケース２０内に位置してベベルギヤ２２が固定されている。
　【００３２】
　また、前記ギヤケース２０の両側に位置して前記第１の伝動ケース１６内には第１の連動軸２３及び第２の連動軸２４がそれぞれ第１の伝動ケース１６内に設けられた図示しない軸受体にて回転自在に軸支されている。そして、前記第１の連動軸２３の一端部には前記第１の伝動ケース１６の一端側内に位置してスプロケット２５が固定され、この第１の連動軸２３の他端部には前記ギヤケース２０内に位置して前記出力軸２１のベベルギヤ２２に噛合したベベルギヤ２６が固定されている。
　【００３３】
　また、前記第２の連動軸２４一端部には前記ギヤケース２０内に位置して前記出力軸２１のベベルギヤ２２に噛合したベベルギヤ２７が固定され、この第２の連動軸２４の他端部は前記第１の伝動ケース１６の他端部に固定されたチェンケース２８内に突出されている。
　【００３４】
　さらに、前記ギヤケース２０の両側方に位置して前記第１の伝動ケース１６の左右には板状の連結部材２９がそれぞれ前方に向かって略水平状に一体に突設され、この左右の連結部材２９の先端部に上下に離間した一対の連結板３０がそれぞれ固定され、この一対の連結板３０間には連結軸３１がそれぞれ着脱可能に垂直状に取り付けられている。
　【００３５】
　そして、前記左右の一対の連結板３０間に取り付けられた左右の連結軸３１と、前記主フレーム７の左右の一対の連結板１４間に取り付けられた左右の連結軸１５とは略同じ間隔で離間して取り付けられている。
　【００３６】
　また、前記左右の連結部材２９のうち、右側の連結部材２９に支柱３２が固定され、この支柱３２の上部に支持フレーム３３が設けられている。この支持フレーム３３は、前記支柱３２の上部に外側方に向かって水平状に固定され中空円筒状部材にて左右方向に延在して形成された支持部材３４と、この支持部材３４の一端側に互いに離間して前方に向かって突出した状態で上下方向に回動自在に取り付けられた一対のブラケット３５と、この一対のブラケット３５間に位置して前記支持部材３４に前方に向かって突出して一体に固定された支持アーム３６と、を有している。
　【００３７】
　つぎに、前記第２の伝動ケース１７は、中空筒状部材にて形成され、一端部に回動体３７を有し、この回動体３７が前記第１の伝動ケース１６の一端部にこの第１の伝動ケース１６の一端部を中心として回動自在に取り付けられている。また、この第２の伝動ケース１７の先端部には、旧畦Ａの田面側Ｂに位置して旧畦Ａの畦際及び旧畦Ａの側面部Ｃを畦塗り用の土として切削して旧畦Ａ上に盛土する前記盛土ロータリー４が回転自在に設けられている。
　【００３８】
　前記盛土ロータリー４は、図１、図２及び図５に示すように、前記第２の伝動ケース１７の先端部に設けられた軸受体３８にて旧畦Ａと交差する略水平方向を軸方向として配置され回転自在に軸支された回転軸３９と、この回転軸３９の周面部に軸方向に放射状に突出された複数の爪ホルダー４０と、これら各爪ホルダー４０に着脱可能に取り付けられて放射状に突出され旧畦Ａの畦際及び旧畦Ａの田面側Ｂの側面部Ｃを切削して旧畦Ａの表面上に跳ね上げて盛土する複数の切削爪４１とを有している。
　【００３９】
　前記回転軸３９は、この回転軸３９の内端側が前記第２の伝動ケース１７の先端部を貫通した状態で前記軸受体３８にて片持式に回転自在に軸支されている。そして、この第２の伝動ケース１７の先端部から外側方の旧畦Ａと交差する略水平方向に向かって突出された回転軸３９の部分の周面部に前記複数の切削爪４１が放射状に突出されている。
　【００４０】
　また、前記第２の伝動ケース１７の先端部内に位置して前記回転軸３９の内端側にはスプロケット４２が固定され、このスプロケット４２と前記第１の伝動ケース１６内の第１の連動軸２３の一端側に固定されたスプロケット２５との間には無端チェーン４３が回行自在に掛け回されている。また、前記回転軸３９の内端部は前記第２の伝動ケース１７の先端部から内側方に向かって突出された連動軸部４４として形成されている。
　【００４１】
　また、前記複数の切削爪４１は、旧畦Ａの畦際及び旧畦Ａの側面部Ｃを略垂直状に切削する縦切刃４１ａと、この縦切刃４１ａの先端部から略水平状に折り曲げられ旧畦Ａの畦際及び旧畦Ａの側面部Ｃを略水平状に切削する横切刃４１ｂとにて形成され、これら複数の切削爪４１は、横切刃４１ｂにて旧畦Ａ側が浅く、田面側Ｂが深く切削されるように縦切刃４１ａの長さを異ならせて形成されている。
　【００４２】
　そして、旧畦Ａ側には縦切刃４１ａの長さが短いすなわち回転半径が小さい切削爪４１が配設され、田面側Ｂ側には縦切刃４１ａの長さが順次長くなるすなわち回転半径が順次大きくなる切削爪４１が配設され、これら長短の各切削爪４１にて旧畦Ａの側面部Ｃが略階段状に切削されるようになっている。
　【００４３】
　つぎに、前記第３の伝動ケース１８は、中空筒状部材にて形成され、前記第２の伝動ケース１７の前端部に前上方に向かって傾斜した状態に突出して固定され、この第３の伝動ケース１８の一端部すなわち後端部内には前記盛土ロータリー４の回転軸３９の連動軸部４４が回転自在に突出され、この連動軸部４４にスプロケット４５が固定されている。
　【００４４】
　また、前記第３の伝動ケース１８の先端部に左右方向に延在した連動軸４６が回転自在に軸支され、この連動軸４６には前記第３の伝動ケース１８の先端部内に位置してスプロケット４７が固定され、このスプロケット４７と前記連動軸部４４のスプロケット４５との間には無端チェーン４８が回行自在に掛け回されている。
　【００４５】
　また、前記第３の伝動ケース１８の先端部から外側方に向かって突出した前記連動軸４６の突出部に伝動軸４９の一方の自在継手５０がスプライン嵌合により連結され、この伝動軸４９の他方の自在継手５１をスプライン嵌合により連結した回転軸５２が前記支持フレーム３３の内側のブラケット３５の先端部に固定された変速ボックス５３に回転自在に軸支されている。
　【００４６】
　そして、前記ギヤケース２０に設けた出力軸２１と、前記第１の連動軸２３と、前記相対するスプロケット２５，４２及びこれらスプロケット２５，４２間に掛け回した無端チェーン４３とにて前記盛土ロータリー４の回転軸３９を回転させる駆動系５４が構成されている。また、この駆動系５４にて前記前記第３の伝動ケース１８内のスプロケット４５，４７及びこれらスプロケット４５，４７間に掛け回した前記無端チェーン４８、前記連動軸４６及び前記伝動軸４９を介して前記回転軸５２が回転され、この回転軸５２にて前記前処理ロータリー６が連動回転されるようになっている。
　【００４７】
　つぎに、前記前処理ロータリー６は、図１、図２及び図５に示すように、前記支持フレーム３３の左右のブラケット３５の先端部間に旧畦Ａの上面部Ｄの上方に位置して略水平方向を軸方向として配置され回転自在に軸支された連動回転軸５５と、この連動回転軸５５の周面部に軸方向に放射状に突設された複数の爪ホルダー５６と、これら各爪ホルダー５６に着脱可能に取り付けられて放射状に突出され旧畦Ａの上面部Ｄを切削して水平状に前処理する複数の前処理爪５７と、を有している。
　【００４８】
　そして、前記連動回転軸５５は、この連動回転軸５５の両端部に連結用のフランジ５８をそれぞれ有し、この一端部のフランジ５８が前記支持フレーム３３の外側のブラケット３５の先端部に回転自在に軸支された支軸５９のフランジ６０に着脱自在に連結され、この他端部のフランジ５８が前記変速ボックス５３に軸支された前記回転軸５２のフランジ６１に着脱自在に連結されている。
　【００４９】
　そして、前記連動回転軸５５は、前記盛土ロータリー４の駆動系５４にて連動回転されるようになっている。また、前記前処理ロータリー６の連動回転軸５５は、前記変速ボックス５３内に設けられた変速機構を変速調節することにより、所定の回転数に調節され、この前処理ロータリー６が所定の回転速度で回転されて旧畦Ａの上面部Ｄが前処理されるようになっている。
　【００５０】
　また、前記複数の前処理爪５７は、旧畦Ａの上面部Ｄすなわち上層部を所定の深さに略垂直状に切削する縦切刃５７ａと、この縦切刃５７ａの先端部から略水平状に折り曲げられ旧畦Ａの上面部Ｄすなわち上層部を水平状に切削する水平状の切削刃５７ｂとにて形成されている。そして、これらの各前処理爪５７の切削刃５７ｂにて旧畦Ａの上面部Ｄすなわち上層部を所定の深さで水平状に切削して前処理するようになっている。
　【００５１】
　つぎに、前記第４の伝動ケース１９は、図１に示すように、この第４の伝動ケース１９の略中間に位置して固定され前後方向に延在した板状の取付部材６２を有し、この取付部材６２は前記第１の伝動ケース１６に固定された右側の連結部材２９に連結固定されている。また、この第４の伝動ケース１９の一端部に前記畦塗り体５が回転自在に設けられているとともに、この第４の伝動ケース１９の他端部が前記第１の伝動ケース１６の他端部に固定されたチェンケース２８に固定されている。
　【００５２】
　また、前記第４の伝動ケース１９内に第３の連動軸６３が挿通されて回転自在に軸支され、この第３の連動軸６３の一端部が前記第４の伝動ケース１９の一端部から外側方に向かって突出され、この第３の連動軸６３の他端部が前記チェンケース２８内に突出され、このチェンケース２８内に位置して第３の連動軸６３の他端部にスプロケット６４が固定されている。また、前記チェンケース２８内に位置してこのチェンケース２８内に突出された前記第２の連動軸２４にスプロケット６５が固定されている。そして、前記第２の連動軸２４のスプロケット６５と前記第３の連動軸６３のスプロケット６４との間に無端チェーン６６が回行自在に掛け回されている。
　【００５３】
　前記畦塗り体５は、図１に示すように、前記第３の連動軸６３の一端部に固定部材６７にて固定されている。この畦塗り体５は、旧畦Ａの上面部Ｄに盛土された土をこの旧畦Ａの上面部Ｄに塗り付けて旧畦Ａの上面部Ｄを水平状に修復する円筒状の上面修復部６８と、この上面修復部６８の内端部に固定され旧畦Ａの肩部Ｅを面取り状に修復する肩修復部６９と、この肩修復部６９の内端部に固定され旧畦Ａの側面部Ｃを田面側Ｂの下方に向かって拡開傾斜した傾斜面に修復する円錐形状の側面修復部７０と、を有している。
　【００５４】
　そして、前記側面修復部７０は略扇形状に形成された複数の修復板７１にてこれらの各修復板７１を互いに隣接する側端縁部のそれぞれを重ね合わせて全体として円錐形状に形成されてる。
　【００５５】
　また、前記第１の伝動ケース１６に設けられた支柱３２に支持アーム７２が固定され、この支持アーム７２の後端部に前記第４の伝動ケース１９と平行に延長アーム７３が固定され、この延長アーム７３の一端部に前記畦塗り体５の上方を被覆するカバー体７４が支持されている。また、前記支持フレーム３３の左右のブラケット３５に前記前処理ロータリー６の上方を被覆するカバー体７５が支持されている。さらに、前記第２の伝動ケース１７に複数の取付片７６が固定され、これら複数の取付片７６に前記盛土ロータリー４の上方を被覆するカバー体７７が支持されている。
　【００５６】
　つぎに、前記第１の伝動ケース１６の前記支持部材３４に前記第２の伝動ケース１７の先端部に設けられた前記盛土ロータリー４を深浅調節する第１の調節手段７８が設けられている。この第１の調節手段７８は、図２及び図６に示すように、前記第２の伝動ケース１７の上方に位置して前記支持部材３４に固定された支持アーム７９と、この支持アーム７９に定位置で回転自在に支持された調節螺杆８０と、この調節螺杆８０に上下動自在に螺合された上下動杆８１と、前記調節螺杆８０と前記上下動杆８１との嵌合部を被覆するカバー体８２とを有している。
　【００５７】
　そして、前記支持アーム７９は、この支持アーム７９の先端部に平面視略コ字形状に形成された支持枠８３が固定され、この支持枠８３内に位置してこの支持枠８３の両側に設けた支軸８４にて挿通孔８５を有する円筒状のホルダー８６が回動自在に軸支されている。
　【００５８】
　また、前記調節螺杆８０は、この調節螺杆８０の上端近傍部に前記ホルダー８６の挿通孔８５内に回転自在に挿通された円筒状の回転部８７を有し、この回転部８７の上端部に前記ホルダー８６の上面より上方に突出した状態で支持される支持部８８が形成され、この支持部８８に前記ホルダー８６の上面に設けたスリーブ８９を介してハンドル９０を有する嵌合体９１が嵌合され、この嵌合体９１はこの嵌合体９１から前記支持部８８に挿通した固定ピン９２にてこの支持部８８に固定されている。また、前記調節螺杆８０には、この調節螺杆８０の略中間部から下端にかけてこの調節螺杆８０の周面に雄ねじ９３が形成されている。
　【００５９】
　また、前記上下動杆８１は、中空円筒状に形成され、その内周部に前記調節螺杆８０の雄ねじ９３を螺合する雌ねじ９４を有するねじ孔９５が軸方向に形成され、この上下動杆８１の雌ねじ９４を有するねじ孔９５内に前記調節螺杆８０がこの雄ねじ９３と雌ねじ９４との螺合により挿入され、この調節螺杆８０の回転によりこの調節螺杆８０に上下動杆８１が上下動自在に設けられている。
　【００６０】
　さらに、前記カバー体８２は、上下方向に延在した円筒状に形成され、前記ホルダー８６の下方に位置したカバー体８２の上面板部８２ａに前記調節螺杆８０を回転自在に挿通した挿通孔９６が形成され、この上面板部８２ａに連続した円筒状のカバー部９７にて前記調節螺杆８０と前記上下動杆８１との嵌合部を被覆している。また、前記カバー体８２の上面板部８２ａと前記ホルダー８６との間に前記調節螺杆８０を回転自在に挿通した挿通孔９８を有するスリーブ９９が介在固定されている。
　【００６１】
　また、前記上下動杆８１の下端部に支軸１００にて前記第２の伝動ケース１７に固定された取付片１０１が回動自在に軸支されている。
　【００６２】
　そして、前記第１の調節手段７８にて第１の伝動ケース１６の支持部材３４に前記盛土ロータリー４を先端部に有する第２の伝動ケース１７が上下方向に回動自在に支持され、前記ハンドル９０にて調節螺杆８０を回転操作することにより、この調節螺杆８０にて前記上下動杆８１が上下動され、この上下動杆８１にて前記支軸１００及び取付片１０１により前記第２の伝動ケース１７が前記第１の伝動ケース１６を中心として上下方向に回動され、この第２の伝動ケース１７の先端部の前記盛土ロータリー４が旧畦Ａの畦際及び旧畦Ａの田面側Ｂの側面部Ｃを切削して旧畦Ａの表面上に跳ね上げる所定の位置に深浅調節されるようになっている。
　【００６３】
　つぎに、前記第１の伝動ケース１６に設けられた前記支持フレーム３３に前記前処理ロータリー６の前処理位置を上下動調節する第２の調節手段１０２が設けられている。この第２の調節手段１０２は、図２に示すように、前記支持フレーム３３に設けられた前記支持アーム３６と、この支持アーム３６に上下動自在に設けられた調節杆１０３と、この調節杆１０３の下端部に支軸１０４にて回動自在に軸支され前記前処理ロータリー６を設けた前記左右のブラケット３５間に固定された固定板１０５とを有している。
　【００６４】
　そして、前記支持アーム３６は、この支持アーム３６の先端部に平面視略コ字形状に形成された支持枠１０６が固定され、この支持枠１０６内に位置して支持枠１０６の両側に設けた支軸１０７にて挿通孔１０８を有する円筒状のホルダー１０９が回動自在に軸支されている。
　【００６５】
　また、調節杆１０３は、前記ホルダー１０９内に上下動自在に挿通可能な径で上下方向に延在して形成され、その上部に上下方向に所定の間隔をおいてこの調節杆１０３の周面に開口した複数の調節孔１１０がそれぞれ形成され、これら複数の調節孔１１０のうち選択した位置の調節孔１１０に挿脱自在に挿通する固定ピン１１１を有している。
　【００６６】
　そして、前記ホルダー１０９の上方に位置してこのホルダー１０９の上面から上方に突出された調節杆１０３の選択した位置の調節孔１１０に固定ピン１１１を挿通することにより、前記支持アーム３６に調節杆１０３が固定ピン１１１にて抜止めされた状態で支持されるとともに、この調節杆１０３にて支持される前記左右のブラケット３５の先端部の前記前処理ロータリー６が旧畦Ａの上面部Ｄを前処理する所定の位置に支持されるようになっている。
　【００６７】
　また、前記ホルダー１０９に対して前記調節杆１０３を上下動して前記前処理ロータリー６を旧畦Ａの上面部Ｄに対して上下方向に位置調節し、この前処理ロータリー６を前処理する所定の位置に位置決めした状態で、ホルダー１０９の上面から上方に突出された調節杆１０３の選択した位置の調節孔１１０に固定ピン１１１を挿通することにより、この前処理ロータリー６が前処理する所定の位置に位置決め調節される。
　【００６８】
　そして、この前処理ロータリー６にて旧畦Ａの上面部Ｄを前処理するときに、その前処理爪５７が旧畦Ａの上面部Ｄ上の石等の塊体により押し上げられたときは、固定ピン１１１がホルダー１０９の上面に位置して調節杆１０３を下方に抜止めした状態となっているが、この固定ピン１１１にて調節杆１０３の上動が阻止されることがないので、前処理ロータリー６が調節位置で上動されるようになっている。
　【００６９】
　すなわち、前記第２の調節手段１０２にて前記第１の伝動ケース１６の支持部材３４に前記前処理ロータリー６を先端部に有する前記左右のブラケット３５が上下方向に回動自在に支持され、この左右のブラケット３５の先端部の前処理ロータリー６が旧畦Ａの上面部Ｄに対して上下方向に位置調節自在に、かつ、この調節位置で上動可能に支持されている。
　【００７０】
　つぎに、１２０は前記機枠２にこの機枠２の進行方向に対して左右方向に前記可動機枠３を移動自在に連結しこの可動機枠３に設けられた前記盛土ロータリー４、畦塗り体５及び前処理ロータリー６を前記機枠２の一端側外方に突出させた作業位置及びこの作業位置から前記機枠２の一端側内方に後退させた非作業位置にそれぞれ移動させる平行に枢着した一対のリンクである。
　【００７１】
　前記一対のリンク１２０は、図１乃至図４に示すように、前後方向に延在した互いに同じ長さの板状部材にて形成され、これら一対のリンク１２０の両端部には前記機枠２の連結軸１５及び前記可動機枠３の連結軸３１をそれぞれ回動自在に挿通する円筒状の軸支部１２１がそれぞれ形成されている。
　【００７２】
　そして、前記一対のリンク１２０の一端部の軸支部１２１が前記機枠２の左右の上下一対の連結板１４間に位置してこれら連結軸１５にてそれぞれ回動自在に枢着されている。また、前記一対のリンク１２０の他端部の軸支部１２１が前記可動機枠３の左右の上下一対の連結板３０間に位置してこれら連結軸３１にてそれぞれ回動自在に枢着されている。
　【００７３】
　また、前記機枠２の左右の連結軸１５の相互の間隔と前記可動機枠３の左右の連結軸３１の相互の間隔とはそれぞれ同じ間隔で配置されているので、これら相対する前後の連結軸１５，３１に一対のリンク１２０の両端部をそれぞれ枢着することにより、この一対のリンク１２０は前記機枠２と前記可動機枠３との間に平行に枢着されている。
　【００７４】
　そして、前記一対のリンク１２０により、前記可動機枠３の前記盛土ロータリー４、畦塗り体５及び前処理ロータリー６が、前記機枠２の一端側外方に突出させ前記機枠２を牽引するトラクタＴの一方側の車輪Ｅより外側方に突出させた畦塗り作業位置及びこの畦塗り作業位置より前記機枠２の一端側内方に後退させトラクタＴの一方側の車輪Ｅより内側方に後退させた非畦塗り作業位置にそれぞれ切換え移動されるようになっている。
　【００７５】
　また、前記可動機枠３の前記盛土ロータリー４、畦塗り体５及び前処理ロータリー６が移動される前記機枠２の一端側内方の前記非畦塗り作業位置は、前記可動機枠３の前記盛土ロータリー４、畦塗り体５及び前処理ロータリー６にて本畦塗り機が全体として重量バランスが崩れない位置となっている。
　【００７６】
　つぎに、１２２は前記一対のリンク１２０により前記可動機枠３の前記盛土ロータリー４、畦塗り体５及び前処理ロータリー６を畦塗り作業位置及び非畦塗り作業位置に移動させた状態でこの可動機枠３を固定する可動機枠固定手段である。
　【００７７】
　前記可動機枠固定手段１２２は、図２及び図３に示すように、前記機枠２の主フレーム７の略中間部に固定された取付枠１２３と、この取付枠１２３に取付軸１２４にて一端部が回動自在に軸支されたロッド１２５と、このロッド１２５の他端側が進退自在に挿通され他端部が前記可動機枠３の左側の連結軸３１に回動自在に軸支されシリンダー１２６とを有している。
　【００７８】
　そして、前記取付枠１２３は、前記主フレーム７の後部に固定された固定部の上下に取付板１２７を設けて側面視略コ字形状に形成され、前記上下の取付板１２７間に前記取付軸１２４が軸支されている。
　【００７９】
　また、前記ロッド１２５は、このロッド１２５の一端側に前記可動機枠３の前記盛土ロータリー４、畦塗り体５及び前処理ロータリー６が畦塗り作業位置に移動されたときロックピン１２８を挿通する第１の連通孔１２９が形成されているとともに、このロッド１２５の他端側に前記可動機枠３の前記盛土ロータリー４、畦塗り体５及び前処理ロータリー６が非畦塗り作業位置に移動されたとき前記ロックピン１２８を挿通する第２の連通孔１３０が形成されている。
　【００８０】
　さらに、前記シリンダー１２６は、このシリンダー１２６の一端側に前記第１の連通孔１２９及び第２の連通孔１３０に連通するピン挿通孔１３１が形成され、このピン挿通孔１３１から前記第１の連通孔１２９または前記第２の連通孔１３０に前記ロックピン１２８が選択的に挿脱自在に挿通されるようになっている。また、このロックピン１２８はハンドル１２８ａを備えている。
　【００８１】
　そして、前記盛土ロータリー４、畦塗り体５及び前処理ロータリー６を畦塗り作業位置及び非畦塗り作業位置に切換え移動するときは、前記ロックピン１２８をピン挿通孔１３１から引き抜いた状態でシリンダー１２６に対してロッド１２５が進退動して切換え移動される。
　【００８２】
　また、前記盛土ロータリー４、畦塗り体５及び前処理ロータリー６が畦塗り作業位置に移動されたとき、シリンダー１２６のピン挿通孔１３１からロッド１２５の第１の連通孔１２９にロックピン１２８を挿通することにより、盛土ロータリー４、畦塗り体５及び前処理ロータリー６が畦塗り作業位置に固定され、また、盛土ロータリー４、畦塗り体５及び前処理ロータリー６が非畦塗り作業位置に移動されたとき、シリンダー１２６のピン挿通孔１３１からロッド１２５の第２の連通孔１３０にロックピン１２８を挿通することにより、盛土ロータリー４、畦塗り体５及び前処理ロータリー６が非畦塗り作業位置に固定されるようになっている。
　【００８３】
　つぎに、１３２は前記機枠２側の入力軸１１の回転を前記可動機枠３側の出力軸２１に伝達する動力伝達軸で、この動力伝達軸１３２は、図３に示すように、互いにスプライン嵌合により周回方向が固定で軸方向にのみ伸縮自在に嵌合された内筒体１３３及び外筒体１３４と、前記内筒体１３３の端部に設けられ前記出力軸２１にスプライン嵌合により固定された自在継手１３５と、前記外筒体１３４の端部に設けられ前記入力軸１１にスプライン嵌合により固定された自在継手１３６とを有している。
　【００８４】
　そして、前記盛土ロータリー４、畦塗り体５及び前処理ロータリー６が畦塗り作業位置及びこれらが非畦塗り作業位置に移動されるとき、前記動力伝達軸１３２の内筒体１３３及び外筒体１３４が伸縮するとともに、前記両端部の自在継手１３５，１３６がそれぞれ折れ曲がるように回動して前記盛土ロータリー４、畦塗り体５及び前処理ロータリー６の移動を可能にするようになっている。
　【００８５】
　つぎに、前記実施の形態の作用を説明する。
　【００８６】
　機枠２のトップアーム１２に連結ピン１３にてトラクタＴのトップリンクを連結するとともに、機枠２の両側のロワアーム８に連結ピン９にてトラクタの両側のロワリンクをそれぞれ連結する。また、機枠２の入力軸６に図示しない動力伝達軸体の一端部のユニバーサルジョイントをスプライン嵌合により連結するとともに、この動力伝達軸体の他端部のユニバーサルジョイントをトラクタＴの動力取出軸にスプライン嵌合により連結する。
　【００８７】
　つぎに、畦塗り作業時は、トラクタＴの一方側の車輪Ｅを修復する旧畦Ａの畦際に配置した状態で、可動機枠固定手段１２２のロックピン１２８をシリンダー１２６のピン挿通孔１３１から引き抜き、このシリンダー１２６とロッド１２５とのロックを解除し、このシリンダー１２６に対してロッド１２５を進退可能な状態にする。
　【００８８】
　そして、一対のリンク１２０により可動機枠３を機枠２の一端側外方に向かって移動することにより、この可動機枠３の盛土ロータリー４、畦塗り体５及び前処理ロータリー６がそれぞれ機枠２の一端側外方のトラクタＴの一方側の車輪Ｅより外側方に突出され、これら盛土ロータリー４、畦塗り体５及び前処理ロータリー６が、それぞれ図４に示すように、旧畦Ａを修復する畦塗り作業位置に移動される。
　【００８９】
　すなわち、盛土ロータリー４は旧畦Ａの田面側Ｂに位置して旧畦Ａの畦際及び旧畦Ａの側面部Ｃを切削して旧畦Ａの表面上に跳ね上げて盛土する位置に移動されるとともに、畦塗り体５は旧畦Ａの表面上に盛土された土をこの旧畦Ａの表面に塗り付けて旧畦Ａを修復する位置に移動され、かつ、前処理ロータリー６は盛土ロータリー４の外側前方に位置して旧畦Ａの上面部Ｄを畦塗り用に前処理する位置に移動される。
　【００９０】
　このとき、一対のリンク１２０はそれぞれの前後の連結軸１５，３１を中心として回動されるとともに、この一対のリンク１２０にて可動機枠３が機枠２の一端側外方に向かって移動される。また、可動機枠固定手段１２２のシリンダー１２６は連結軸３１を中心として回動されるとともに、このロッド１２５は主フレーム７に固定された取付枠１２３の取付軸１２４を中心として回動され、かつ、このロッド１２５はシリンダー１２６に対して伸縮する状態に進退して回動される。
　【００９１】
　さらに、動力伝達軸１３２の両端部の自在継手１３５，１３６がそれぞれ折り曲がる状態で回動しながら動力伝達軸１３２が入力軸１１を中心として機枠２の一端側外方に向かって移動される。したがって、一対のリンク１２０により可動機枠３が機枠２の一端側外方に向かってスムーズに移動される。
　【００９２】
　また、可動機枠３の盛土ロータリー４、畦塗り体５及び前処理ロータリー６がそれぞれ畦塗り作業位置に移動されると、可動機枠固定手段１２２のシリンダー１２６の先端側に形成されたピン挿通孔１３１にロッド１２５の第１の連通孔１２９が連通する。
　【００９３】
　そして、このシリンダー１２６のピン挿通孔１３１からロッド１２５の第１の連通孔１２９にロックピン１２８を挿通することにより、このロックピン１２８にてシリンダー１２６にロッド１２５が固定され、このシリンダー１２６及びロッド１２５にて機枠２の主フレーム７と可動機枠３の第１の伝動ケース１６とを繋ぎ止める１本のかすがい体が構成される。
　【００９４】
　また、この１本のかすがい体を構成したシリンダー１２６及びロッド１２５にて機枠２の主フレーム７に可動機枠３が固定されるとともに、この可動機枠３の盛土ロータリー４、畦塗り体５及び前処理ロータリー６がそれぞれ畦塗り作業位置に固定される。また、シリンダー１２６及びロッド１２５にて機枠２の主フレーム７に可動機枠３が固定されることにより、このシリンダー１２６及びロッド１２５にて一対のリンク１２０が回動不能になる。
　【００９５】
　また、盛土ロータリー４が田面側Ｂに位置して旧畦Ａの畦際及び旧畦Ａの側面部Ｃを切削する位置に移動された状態で、旧畦Ａの修復状況等により必要に応じて、第１の調節手段７８のハンドル９０を回動操作すると、このハンドル９０にて調節螺杆８０がホルダー８６に支持された状態で定位置で回動されるとともに、この調節螺杆８０に沿って上下動杆８１が上下動される。
　【００９６】
　そして、この上下動杆８１にて第２の伝動ケース１７が第１の伝動ケース１６を中心として上下方向に回動されるとともに、この第２の伝動ケース１７の盛土ロータリー４が上下動され、この盛土ロータリー４が畦塗り体５の位置を基準として旧畦Ａの畦際及び旧畦Ａの側面部Ｃを切削する所定の作業位置に調節される。
　【００９７】
　さらに、前処理ロータリー６が旧畦Ａの上面部Ｄを前処理する所定の位置に移動された状態で、旧畦Ａの上面部Ｄを前処理する状況、たとえば、旧畦Ａの上面部Ｄの荒れ状況等により必要に応じて、調節杆１０３の調節孔１１０から固定ピン１１１を引き抜く。
　【００９８】
　そして、ホルダー１０９に対して調節杆１０３を上下動すると、この調節杆１０３にて前処理ロータリー６を先端部に設けた左右のブラケット３５が支持フレーム３３の支持部材３４を中心として上下方向に回動される。また、左右のブラケット３５が上下方向に回動されるとき、左側のブラケット３５に軸支された回転軸５２にて伝動軸４９の他方の自在継手５１が折れ曲がる状態で回動され、この伝動軸４９の他方の自在継手５１により回転軸５２を設けた左側のブラケット３５及び右側のブラケット３５が上下方向に容易に回動される。
　【００９９】
　また、左右のブラケット３５が上下方向に回動されることにより、この左右のブラケット３５にて前処理ロータリー６が旧畦Ａの上面部Ｄに対して上下方向に位置調節され、この前処理ロータリー６が旧畦Ａの上面部Ｄを前処理する所定の位置に位置決めされた状態で、ホルダー１０９の上面から上方に突出された調節杆１０３の選択した位置の調節孔１１０に固定ピン１１１を再び挿通する。これにより、この前処理ロータリー６が畦塗り体５の位置を基準として旧畦Ａの上面部Ｄを前処理する所定の位置に位置決めされる。
　【０１００】
　さらに、畦塗り作業位置に可動機枠３の盛土ロータリー４、畦塗り体５及び前処理ロータリー６がそれぞれ位置固定された状態で、田面側Ｂの状況等により必要に応じて、ホルダー１１３に対して支柱１１５を上下動することにより、この支柱１１５の下端部の規制輪１１６が上下動調節される。
　【０１０１】
　そして、この規制輪１１６をこの輪本体１１８の周面が地面に対して所定の接地圧で接地し、かつ、この規制輪１１６の環状刃１１９が回転して地面を垂直状に切断しながら直進移動する高さに調節する。また、この状態でホルダー１１３に対して支柱１１５を固定することにより、下端部の規制輪１１６が環状刃１１９にて地面を垂直状に切断しながら直進移動可能に調節された高さ位置に位置固定される。
　【０１０２】
　つぎに、トラクタＴにて機枠２を連結した畦塗り機が牽引進行されるとともに、このトラクタＴの動力取出軸にて動力伝達軸体を介して入力軸１１が回転されることにより、この入力軸１１により回転されるて動力伝達軸１３２にて可動機枠３側の出力軸２１が回転される。
　【０１０３】
　また、出力軸２１が回転されると、この出力軸２１に連動される第１の連動軸２３及び無端チェーン４３にて盛土ロータリー４が回転されながら進行されるとともに、この盛土ロータリー４の駆動系５４に連動される無端チェーン４８、伝動軸４９及び回転軸５２にて前処理ロータリー６が回転されながら進行され、さらに、出力軸２１に連動される第２の連動軸２４、チェンケース２８内の無端チェーン６６及び第３の連動軸６３にて畦塗り体５が回転されながら進行される。
　【０１０４】
　そして、前処理ロータリー６の複数の前処理爪５７にて旧畦Ａの上面部Ｄが切削されるが、これらの前処理爪５７は先端部に水平状の切削刃５７ｂを有することにより、これらの前処理爪５７の先端部の水平状の切削刃５７ｂにて旧畦Ａの上面部Ｄが畦塗り用に順次水平状に切削され、この旧畦Ａの上面部Ｄが平らに地均しした状態に順次前処理される。
　【０１０５】
　このとき、前処理爪５７は旧畦Ａの上面部Ｄを横切る方向を軸方向として配置された連動回転軸５５に放射状に突設され、かつ、これらの先端部の切削刃５７ｂが水平状に形成されていることにより、旧畦Ａの上面部Ｄの固い土部分が凹弧状に刳り取られることがないため、旧畦Ａの上面部Ｄの固い土部分が削り取られ過ぎることがなく、また、旧畦Ａの上面部Ｄの雑草等は根元部分から切断されるとともに、旧畦Ａの表層部に雑草等の根を残した状態で前処理される。
　【０１０６】
　また、前処理ロータリー６の複数の前処理爪５７にて旧畦Ａの上面部Ｄを切削して前処理するときに、その前処理爪５７が旧畦Ａの上面部Ｄ上の石等の塊体により押し上げられると、これら塊体にて前処理ロータリー６が調節位置で上動されて塊体を乗り越える。
　【０１０７】
　すなわち、固定ピン１１１はホルダー１０９の上面に位置して調節杆１０３を下方に抜止めした状態となっているだけで、この固定ピン１１１にて調節杆１０３の上動が阻止されることがなく、また、前処理ロータリー６を軸支した左右のブラケット３５は支持フレーム３３の支持部材３４にこの支持部材３４を中心として上下方向に回動自在に支持されているとともに、前処理ロータリー６の連動回転軸５５の他端部を連結した変速ボックス５３の回転軸５２が伝動軸４９の他方の自在継手５１に連結されているので、前処理ロータリー６の前処理爪５７が旧畦Ａの上面部Ｄ上の石等の塊体により押し上げられると、前処理ロータリー６の連動回転軸５５の他端部にて伝動軸４９の他方の自在継手５１が折れ曲がり、前処理ロータリー６の上動が阻止されることがなく、したがって、塊体にて前処理ロータリー６が調節位置で上動されて塊体を乗り越える。
　【０１０８】
　また、盛土ロータリー４の複数の切削爪４１にて旧畦Ａの畦際及び旧畦Ａの側面部Ｃが切削されるが、これらの複数の切削爪４１は、旧畦Ａ側には縦切刃４１ａの長さが短いすなわち回転半径が小さい切削爪４１が配設され、田面側Ｂには縦切刃４１ａの長さが順次長くなるすなわち回転半径が順次大きくなる切削爪４１が配設されていることにより、これらの複数の切削爪４１にて旧畦Ａの側面部Ｃの上部から田面側Ｂに向かって旧畦Ａの側面部Ｃ側が浅く、田面側Ｂが順次深くなる状態で略階段状に切削されるとともに、これらの土が跳ね上げられて旧畦Ａの削りとられた表面上に順次盛土される。
　【０１０９】
　このとき、盛土される旧畦Ａの上面部Ｄが予め水平状に地均しした状態に前処理されているため、旧畦Ａの水平状の上面部Ｄにはこの旧畦Ａの上面部Ｄを修復する必要量の土量が盛土される。また、旧畦Ａの側面部Ｃには略階段状に切削された階段状部分に盛土される。
　【０１１０】
　さらに、畦塗り体５にて旧畦Ａの表面上に盛土された土がこの旧畦Ａの上面部Ｄ及び側面部Ｃの表面に塗り付けられて旧畦Ａが修復されて新畦に順次整畦される。すなわち、畦塗り体５の上面修復部６８にて旧畦Ａの上面部Ｄの固い土部分に土が順次塗り付けられて締め固められ旧畦Ａの上面部Ｄが水平状に順次修復されるとともに、この畦塗り体５の肩修復部６９にて旧畦Ａの肩部に土が順次塗り付けられて締め固められ旧畦Ａの肩部が下方に向かって傾斜した面取り状に順次修復され、かつ、畦塗り体５の側面修復部７０にて旧畦Ａの側面部Ｃに土が順次塗り付けられて締め固められ旧畦Ａの側面部Ｃが下方に向かって拡開傾斜した傾斜面に順次修復される。
　【０１１１】
　このとき、旧畦Ａの側面部Ｃには略階段状に切削された階段状部分に盛土されていることにより、この旧畦Ａの側面部Ｃに塗り付けられて締め固められる土は旧畦Ａの側面部Ｃを切削された階段状部分で受け止められ、この階段状部分にて旧畦Ａの側面部Ｃに塗り付けられた土が崩落し難い状態に締め固められる。
　【０１１２】
　したがって、畦塗り体５にて旧畦Ａは上面が水平状で側面が下方に向かって拡開傾斜した傾斜面に修復された新畦に順次整畦される。そして、旧畦Ａの表面部に塗り付けられて締め固められる土により、旧畦Ａのひび割れ部分及びもぐら等により開けられた穴等が確実に塞ぎ込まれ、この新畦を挟んだ一方の田面側Ｂから他方の田面側Ｂ等の側方に水漏れすることを確実に防止できる新畦に順次整畦される。
　【０１１３】
　また、トラクタＴにて機体１が旧畦Ａに沿って進行されるとき、前処理ロータリー６の複数の前処理爪５７及び盛土ロータリー４の複数の切削爪４１は、トラクタＴの進行に向かって回転されることにより、これら複数の前処理爪５７及び複数の切削爪４１による推進力によりトラクタＴの走行抵抗が軽減される。
　【０１１４】
　つぎに、非畦塗り作業時は、可動機枠固定手段１２２のロックピン１２８をシリンダー１２６のピン挿通孔１３１から引き抜くこにより、このシリンダー１２６とロッド１２５との固定が解除され、このシリンダー１２６に対してロッド１２５が進退可能になり、機枠２の主フレーム７に対する可動機枠３の固定が解除される。
　【０１１５】
　また、一対のリンク１２０により可動機枠３を機枠２の一端側内方に向かって移動することにより、この可動機枠３の盛土ロータリー４、畦塗り体５及び前処理ロータリー６が、それぞれ図４に示すトラクタの一方側の車輪Ｅの外側方の畦塗り作業位置から図１に示すように機枠２の一端側内方のトラクタの一方側の車輪Ｅより内側方に後退され、この可動機枠３の盛土ロータリー４、畦塗り体５及び前処理ロータリー６がそれぞれ畦塗り作業を行なわない所定の非畦塗り作業位置に移動される。
　【０１１６】
　このとき、一対のリンク１２０は、それぞれの前後の連結軸１５，３１を中心として回動され、可動機枠固定手段１２２のシリンダー１２６は、連結軸３１を中心として回動されるとともに、このロッド１２５は、主フレーム７に固定された取付枠１２３の取付軸１２４を中心として回動され、かつ、このロッド１２５はシリンダー１２６に対して伸縮する状態に進退して回動される。
　【０１１７】
　また、動力伝達軸１３２の両端部の自在継手１３５，１３６がそれぞれ折り曲がる状態で回動しながら動力伝達軸１３２が入力軸１１を中心として機枠２の一端側内方に向かって移動される。したがって、一対のリンク１２０により可動機枠３が機枠２の一端側内方に向かってスムーズに移動される。
　【０１１８】
　また、可動機枠３の盛土ロータリー４、畦塗り体５及び前処理ロータリー６がそれぞれ非畦塗り作業位置に移動されると、可動機枠固定手段１２２のシリンダー１２６の先端側に形成されたピン挿通孔１３１にロッド１２５の第２の連通孔１３０が連通する。
　【０１１９】
　そして、このシリンダー１２６のピン挿通孔１３１からロッド１２５の第２の連通孔１３０にロックピン１２８を挿通することにより、このロックピン１２８にてシリンダー１２６にロッド１２５が固定され、このシリンダー１２６及びロッド１２５にて機枠２の主フレーム７と可動機枠３の第１の伝動ケース１６とを繋ぎ止める１本のかすがい体が構成される。
　【０１２０】
　また、この１本のかすがい体を構成したシリンダー１２６及びロッド１２５にて機枠２の主フレーム７に可動機枠３が位置固定されるとともに、この可動機枠３の盛土ロータリー４、畦塗り体５及び前処理ロータリー６がそれぞれ非畦塗り作業位置に固定される。また、シリンダー１２６及びロッド１２５にて機枠２の主フレーム７に可動機枠３が固定されることにより、このシリンダー１２６及びロッド１２５にて一対のリンク１２０が回動不能になる。
　【０１２１】
　そして、可動機枠３の盛土ロータリー４、畦塗り体５及び前処理ロータリー６を畦塗り作業位置から非畦塗り作業位置に切換え移動できるので、この可動機枠３の盛土ロータリー４、畦塗り体５及び前処理ロータリー６を非畦塗り作業位置に移動したとき、この盛土ロータリー４、畦塗り体５及び前処理ロータリー６にてトラクタＴ側に偏荷重が生じて重量バランスが損なわれることがなく、道路走行時及び圃場への出入り時の安定走行が確保され、かつ、道路走行時の交通障害の問題も解消される。
　【０１２２】
　つぎに、前記実施の形態では、縦切刃５７ａと水平状の切削刃５７ｂとを有する複数の前処理爪５７を備えた前処理ロータリー６を、支持フレーム３３の外側のブラケット３５のフランジ６０と変速ボックス５３に軸支された回転軸５２のフランジ６１とに着脱自在に連結する場合について説明したので、縦切刃５７ａと水平状の切削刃５７ｂとを有する複数の前処理爪５７を備えた前処理ロータリー６に変えて、旧畦Ａの上面部Ｄを薄く切削しながら旧畦Ａの上面部Ｄに繁茂する雑草等を根元から切断する複数の前処理爪１３７を備えた前処理ロータリー１３８を、支持フレーム３３の外側のブラケット３５のフランジ６０と変速ボックス５３に軸支された回転軸５２のフランジ６１とに着脱自在に連結するようにしてもよい。
　【０１２３】
　この場合は、たとえば、図７及び図８に示すように、前処理ロータリー１３８は、支持フレーム３３の外側のブラケット３５のフランジ６０と変速ボックス５３に軸支された回転軸５２のフランジ６１とに着脱自在に連結するフランジ１３９を両端部に有する連動回転軸１４０と、この連動回転軸１４０にこの連動回転軸１４０の軸方向に間隔をおいて固定された複数の爪取付体１４１と、これら複数の爪取付体１４１のそれぞれに回動自在に取り付けられた複数の前記前処理爪１３７と、を有している。
　【０１２４】
　そして、前記複数の爪取付体１４１は、前記連動回転軸１４０の周面に相対して離間して固定された一対の取付片１４２をそれぞれ有し、この一対の取付片１４２間に取付軸１４３が固定され、この取付軸１４３に略Ｕ字形状の爪取付具１４４が回動自在に軸支されている。
　【０１２５】
　また、前記複数の前処理爪１３７は、上端部が狭く下端部が広い形状で正面視略三角形状に形成され、その上端部に前記爪取付具１４４に回動自在に取り付けられた取付部１４５が形成されているとともに、その下端部に旧畦Ａの上面部Ｄを薄く切削しながら旧畦Ａの上面部Ｄに繁茂する雑草等を根元から切断する水平状の切削刃１４６が形成されている。
　【０１２６】
　そして、支持フレーム３３の外側のブラケット３５のフランジ６０と変速ボックス５３に軸支された回転軸５２のフランジ６１とに連動回転軸１４０の両端部のフランジ１３９を着脱自在に連結することにより、この支持フレーム３３の外側のブラケット３５のフランジ６０と変速ボックス５３に軸支された回転軸５２のフランジ６１との間に前処理ロータリー１３８が回転自在に設けられる。
　【０１２７】
　また、前記前処理ロータリー１３８の連動回転軸１４０は変速ボックス５３内に設けられた変速機構を変速調節することにより、所定の回転数に調節され、この前処理ロータリー１３８が所定の回転速度で回転されて旧畦Ａの上面部Ｄが前処理されるようになっている。
　【０１２８】
　このように構成することにより、前記実施の形態の場合と同様に盛土ロータリー４の駆動系５４により前処理ロータリー１３８が回転されると、この前処理ロータリー１３８の複数の前処理爪１３７の水平状の切削刃１４６にて旧畦Ａの上面部Ｄを薄く水平状に切削しながら旧畦Ａの上面部Ｄに繁茂する雑草等が根元から切断され、この旧畦Ａの上面部Ｄが水平状に前処理されるとともに、この旧畦Ａの表層部に雑草等の根を残した状態で前処理される。
　【０１２９】
　【発明の効果】
　請求項１の発明によれば、前処理ロータリーの複数の前処理爪にて旧畦の上面部を切削して畦塗り用に水平状に前処理でき、このとき、旧畦の上面部の固い土部分が凹弧状に刳り取られることがないため、旧畦の上面部の固い土部分が削り取られ過ぎることがなく、旧畦の表層部に雑草等の根を残した状態で前処理できる。
　【０１３０】
　また、盛土ロータリーの複数の切削爪にて旧畦の畦際及び旧畦の側面部を切削してこれらの土を跳ね上げて旧畦の削りとられた表面上に盛土できるが、このとき、盛土される旧畦の上面部が予め水平状に前処理されているため、旧畦の水平状の上面部に必要量の土量を確実に盛土できる。
　【０１３１】
　また、前処理ロータリーの複数の前処理爪は旧畦の上方に位置して略水平方向を軸方向として配置された連動回転軸に突設し、盛土ロータリーの複数の切削爪は旧畦と交差する略水平方向を軸方向として配置された回転軸に突設したので、これら前処理ロータリーの複数の前処理爪及び盛土ロータリーの複数の切削爪は、走行車体の進行方向に向かって回転され、これら複数の前処理爪及び複数の切削爪による推進力にて走行車体の走行抵抗を軽減できる。
また、第１の調節手段を調節操作することにより、この第１の調節手段にて盛土ロータリーを旧畦の畦際及び旧畦の田面側の側面部を切削して旧畦の表面上に跳ね上げる所定の位置に簡単かつ確実に深浅調節できる。さらに、第２の調節手段を調節操作することにより、この第２の調節手段にて前処理ロータリーを旧畦の上面部に対してこの旧畦の上面部を切削して前処理する所定の位署に簡単かつ確実に調節される。
　【０１３２】（削除）
　【０１３３】（削除）
　【０１３４】
　請求項
２
　【０１３５】
　請求項
３
【図面の簡単な説明】
　【図１】
　本発明の一実施の形態を示す畦塗り機を示すもので、畦塗り作業機器を非畦塗り作業位置に移動した状態の平面図である。
　【図２】
　同上側面図である。
　【図３】
　同上機体の一部の拡大平面図である。
　【図４】
　同上畦塗り作業機器を畦塗り作業位置に移動した状態を示す平面図である。
　【図５】
　同上畦塗り作業状態を示す説明図である。
　【図６】
　同上第１の調節手段を示す拡大断面図である。
　【図７】
　他の実施の形態の前処理ロータリーの平面図でる。
　【図８】
　同上断面図である。
　【符号の説明】
　１　　機体
　４　　盛土ロータリー
　５　　畦塗り体
　６，１３８　　前処理ロータリー
　３９　　回転軸
　４１　　切削爪
　５４　　駆動系
　５５，１４０　　連動回転軸
　５７，１３７　　前処理爪
　５７ｂ，１４６　　切削刃
　６８　　上面修復部
　７０　　側面修復部
　７８　　第１の調節手段
　１０２　　第２の調節手段
　Ａ　　旧畦
　Ｂ　　田面側
　Ｃ　　側面部
　Ｄ　　上面部